(57)【要約】【課題】突出部を切除するときに、作業の効率を向上させることができる移動手摺面取り治具を得る。【解決手段】鋭利部３ａを有した平板形状の刃３と、一方向に鋭利部３ａを突出させて、刃３を保持した保持体４と、基端部が保持体４に接続され、先端部が作業者に保持される柄５とを備え、エスカレータに取り付けられる移動手摺１の表面に保持体４と当接させ、移動手摺１の表面から突出して形成されたトッピングゴム２に鋭利部３ａを指向させて、刃３をトッピングゴム２に向かって移動させることで、トッピングゴム２が切除される。【選択図】図１
2010155657.tif 000002
【特許請求の範囲】
【請求項１】
鋭利部を有した平板形状の刃と、
一方向に前記鋭利部を突出させて、前記刃を保持した保持体と、
基端部が前記保持体に接続され、先端部が作業者に保持される柄とを備え、
乗客コンベアに取り付けられる移動手摺の表面に前記保持体を当接させ、前記移動手摺の表面から突出して形成された突出部に前記鋭利部を指向させて、前記刃を前記突出部に向かって移動させることで、前記突出部が切除されることを特徴とする移動手摺面取り治具。
【請求項２】
前記保持体は、前記刃の一面と面接触する固定台と、前記刃の他面と面接触する押え部と、前記固定台と前記押え部とに渡って設けられたねじとを有し、
前記ねじが一方向に回転することで、前記固定台と前記押え部とが接近し、前記ねじが他方向に回転することで、前記固定台と前記押え部とが離間することを特徴とする請求項１に記載の移動手摺面取り治具。
【請求項３】
前記固定台は、前記鋭利部に対向した領域に、切除された前記突出部を排出する排出部が形成されていることを特徴とする請求項２に記載の移動手摺面取り治具。
【請求項４】
前記柄は、先端部の外周部に、滑り止め部を有していることを特徴とする請求項１ないし請求項３の何れか１項に記載の移動手摺面取り治具。
【発明の詳細な説明】
【技術分野】
【０００１】
この発明は、移動手摺の表面から突出した突出部を切除する移動手摺面取り治具に関する。
【背景技術】
【０００２】
従来、キリ先と、このキリ先を回転可能に支持し、モータを有し、このモータの駆動によりキリ先を回転させる電動ドライバ部とを備え、エスカレータに取り付けられる移動手摺の表面から突出して形成された突出部に、回転させたキリ先を押し当てることで、突出部が切除される移動手摺面取り治具が知られている（例えば、特許文献１参照）。
【０００３】
【特許文献１】特開２００２−１８６４１号公報
【発明の開示】
【発明が解決しようとする課題】
【０００４】
しかしながら、このものの場合、誤って、突出部ではなく、移動手摺に回転するキリ先を接触させた場合には、移動手摺を傷付けてしまうので、作業者は、慎重にキリ先を突出部に押し当てなければならず、作業の効率が悪いという問題点があった。
【０００５】
この発明は、上述のような問題点を解決することを課題とするものであって、その目的は、突出部を切除するときに、作業の効率を向上させることができる移動手摺面取り治具を提供するものである。
【課題を解決するための手段】
【０００６】
この発明に係る移動手摺面取り治具は、鋭利部を有した平板形状の刃と、一方向に前記鋭利部を突出させて、前記刃を保持した保持体と、基端部が前記保持体に接続され、先端部が作業者に保持される柄とを備え、乗客コンベアに取り付けられる移動手摺の表面に前記保持体を当接させ、前記移動手摺の表面から突出して形成された突出部に前記鋭利部を指向させて、前記刃を前記突出部に向かって移動させることで、前記突出部が切除される。
【発明の効果】
【０００７】
この発明に係る移動手摺面取り治具によれば、移動手摺の表面に保持体を当接させ、移動手摺の表面から突出して形成された突出部に鋭利部を指向させて、刃を突出部に向かって移動させることで、突出部が切除されるので、突出部を切除するときに、誤って、突出部ではなく、移動手摺の表面に鋭利部が接触することが低減され、鋭利部によって移動手摺の表面が傷付けられることが低減され、作業の効率を向上させることができる。
【発明を実施するための最良の形態】
【０００８】
実施の形態１．
図１はこの実施の形態に係る移動手摺面取り治具を用いて移動手摺１の表面のトッピングゴム２を切除する様子を示す斜視図、図２は図１の移動手摺面取り治具、移動手摺１およびトッピングゴム２を矢印Ａの方向から視たときの断面図である。
この実施の形態に係る移動手摺面取り治具が用いられる移動手摺１は、断面Ｃ字形状をしており、移動手摺１の内側には、表面から突出した突出部であるトッピングゴム２が形成されている。
このトッピングゴム２を切除せずに、移動手摺１を乗客コンベアであるエスカレータ（図示せず）に取り付けた場合には、踏段（図示せず）と移動手摺１との同期のずれが発生してしまう恐れがある。
したがって、移動手摺１をエスカレータに取り付ける前に、トッピングゴム２を移動手摺１の表面から切除する必要がある。
【０００９】
この移動手摺面取り治具は、鋭利部３ａを有した平板形状の刃３と、鋭利部３ａを一方向に突出させて、刃３を保持した保持体４と、この保持体４に接続された柄５とを備えている。
【００１０】
刃３は、上方から視たときに長方形であり、長手方向に沿った一方の端部に鋭利部３ａが形成されている。
また、刃３は、厚さが１ｍｍ程度の鉄から構成されており、硬い物に衝突した場合であっても、破壊されない程度の弾力性を有している。
なお、刃３の厚みは、１ｍｍに限らず、その他の寸法であってもよい。
【００１１】
図３は図１の移動手摺面取り治具を示す斜視図である。
保持体４は、刃３の一面、つまり図１では刃３の下面と面接触する固定台６と、刃３の他面、つまり図１では刃３の上面と面接触する押え部７と、固定台６と押え部７とに渡って設けられた２個の六角ねじ８とを有している。
なお、六角ねじ８に限らず、その他のねじであってもよい。
六角ねじ８を一方向に回転させることで、固定台６と押え部７とが接近する。これにより、固定台６および押え部７に、刃３を挟持させることができる。
逆に、六角ねじ８を他方向に回転させることで、固定台６と押え部７とが離間する。これにより、固定台６および押え部７に、刃３を着脱したり、鋭利部３ａの突出量を調節したりすることができる。
保持体４の固定台６は、刃３の鋭利部３ａに対向した領域に、凹形状に形成された排出部６ａが２箇所形成されている。
この排出部６ａの内部には、鋭利部３ａによって切除されたトッピングゴム２のくずが排出される。
【００１２】
柄５は、基端部が保持体４の固定台６に接続され、鋭利部３ａが突出した一方向へ先端部が延びて形成されている。
また、柄５は、先端部の外周部に、滑り止め部５ａを有している。
滑り止め部５ａは、スポンジから構成されている。
なお、滑り止め部５ａは、スポンジに限らず、例えば、ゴム等から構成されてもよい。
柄５の先端部は、作業者（図示せず）によって保持される。
【００１３】
次に、この実施の形態に係る移動手摺面取り治具を用いて、移動手摺１の表面に形成された突出部であるトッピングゴム２を切除する手順について説明する。
まず、固定台６と押え部７との間に刃３を挿入し、鋭利部３ａの突出量を調整した後に、六角ねじ８を一方向に回転させて、固定台６および押え部７に刃３を挟持させる。
次に、作業者が、柄５を保持して、この移動手摺面取り治具を移動手摺１の内側に挿入し、図２に示すように、押え部７を移動手摺１の表面に当接させ、さらに、鋭利部３ａがトッピングゴム２の根元を指向するように、移動手摺１に対して移動手摺面取り治具を傾斜させる。
この状態で、刃３を、トッピングゴム２に向かった方向、つまり、図１の矢印Ｂの方向に移動させることで、移動手摺１の表面から突出したトッピングゴム２が切除される。
切除されたトッピングゴム２は、固定台６に形成された排出部６ａに排出される。
押え部７を移動手摺１の表面に当接させ、トッピングゴム２に鋭利部３ａを指向させて、刃３をトッピングゴム２に向かって移動させことで、トッピングゴム２が切除されるので、トッピングゴム２を切除するときに、刃３を、誤って、トッピングゴム２ではなく、移動手摺１の表面に接触することが低減され、鋭利部３ａによって移動手摺１の表面が傷付けられることが低減され、作業の効率を向上させることができる。
【００１４】
以上説明したように、この実施の形態に係る移動手摺面取り治具によれば、移動手摺１の表面に保持体４の押え部７を当接させ、移動手摺１の表面から突出して形成されたトッピングゴム２に鋭利部３ａを指向させて、刃３をトッピングゴム２に向かって移動させることで、トッピングゴム２が切除されるので、トッピングゴム２を切除するときに、誤って、トッピングゴム２ではなく、移動手摺１の表面に刃３が接触することが低減され、鋭利部３ａによって移動手摺１の表面が傷付けられることが低減され、作業の効率を向上させることができる。
また、モータを有した電動ドライバ部を備えた従来の移動手摺面取り治具を比較して、全体が軽量化されるので、作業者による長時間の作業が可能となり、また、作業者は、この移動手摺面取り治具を持ち替えたり、体勢を変えたりする必要がなくなり、作業者の体調管理および作業の安全性を向上させることができる。
【００１５】
また、保持体４は、刃３の一面と面接触する固定台６と、刃３の他面と面接触する押え部７と、固定台６と押え部７とに渡って設けられた六角ねじ８とを有し、六角ねじ８が一方向に回転することで、固定台６と押え部７とが接近し、六角ねじ８が他方向に回転することで、固定台６と押え部７とが離間するので、固定台６および押え部７に刃３を挟持させたり、固定台６および押え部７に刃３を着脱可能にさせたり、鋭利部３ａの突出量を調節したりすることができる。
鋭利部３ａの突出量を調節することができるので、作業者の熟練度に関係なく、移動手摺１からトッピングゴム２をきれいに切除することができる。
【００１６】
また、固定台６は、鋭利部３ａに対向した領域に、切除されたトッピングゴム２を排出する排出部６ａが形成されているので、切除されたトッピングゴム２のくずによって鋭利部３ａが覆われることを抑制することができる。
これにより、鋭利部３ａが移動手摺１に形成されているトッピングゴム２を切除する効率が低下することを抑制することができる。
【００１７】
また、柄５は、先端部の外周部に、滑り止め部５ａを有しているので、作業者の手から柄５が滑り落ちることを抑制することができる。
【００１８】
なお、この実施の形態では、断面Ｃ字形状の移動手摺１の内側の表面に形成されたトッピングゴム２を切除する移動手摺面取り治具について説明したが、勿論このものに限らず、移動手摺１のその他の表面に形成されたトッピングゴム２を切除する移動手摺面取り治具であってもよい。
【００１９】
また、この実施の形態では、乗客コンベアとして、エスカレータを例に説明したが、勿論このものに限らず、動く歩道であってもよい。
【００２０】
また、この実施の形態では、Ｔ字形状をした移動手摺面取り治具について説明したが、勿論このものに限らない。
【図面の簡単な説明】
【００２１】
【図１】この発明の実施の形態１に係る移動手摺面取り治具を用いて移動手摺の表面のトッピングゴムを切除する様子を示す斜視図である。
【図２】図１の移動手摺面取り治具、移動手摺およびトッピングゴムを矢印Ａの方向から視たときの断面図である。
【図３】図１の移動手摺面取り治具を示す斜視図である。
【符号の説明】
【００２２】
１  移動手摺、２  トッピングゴム（突出部）、３  刃、３ａ  鋭利部、４  保持体、５  柄、５ａ  滑り止め部、６  固定台、６ａ  排出部、７  押え部、８  六角ねじ。
【図１】
2010155657.tif 000003
【図２】
2010155657.tif 000004
【図３】
2010155657.tif 000005